(57)【要約】【課題】  簡易トイレとトイレ関連用品を一体的に管理できるようにする。【解決手段】  本発明のトイレセットは、内側の収納スペースＡに品物を収納可能な収納箱形態Ｓｂと、トイレとして使用可能なトイレ形態との間で形態変更可能に構成された簡易トイレ１を収納形態Ｓｂにし、該簡易トイレ１の収納スペースＡに、トイレ関連用品が入れられた中箱４１，４２を収納してなっている。トイレ関連用品としては、簡易トイレ１に装着して使用するための多数の蓄便袋、それに入れる薬剤、さらに、簡易トイレ１とは別体で使用可能な小便用の携帯型採尿容器を含んでいる。【選択図】      図５
2008279204.tif 000002
【特許請求の範囲】
【請求項１】
内側の収納スペースに品物を収納可能な収納箱形態と、トイレとして使用可能なトイレ形態との間で形態変更可能に構成された簡易トイレであって、
前記収納箱形態は、前後左右の外側板により形成された四角筒形の胴部と、該胴部の下側開口を塞ぐ底部と、前記前後の外側板にそれぞれ連設された前後の天板フラップと、前記左右の外側板にそれぞれ連設された左右の天板とを備え、
前記トイレ形態は、内側に用便を収容するように有底四角筒状に形成された台座部と、該台座部の上に配設され、前記台座部の内側に連通する開口を有する便座部とを備え、
前記トイレ形態における前記台座部は、前記収納箱形態における前記胴部と前記底部と前記左右の天板とが用いられ、前記左右の天板がそれぞれ前記胴部の内側に折り込まれるとともに、先端側が前記底部に支持されてなる内側板として用いられるように構成されており、
前記トイレ形態における前記便座部は、前記収納箱形態における前後の前記天板フラップが用いられ、該各天板フラップの板幅方向両側に板長方向へ突出するように形成された突帯部が前記台座部の左右の外側板及び内側板の上に載置されることにより、前記台座部上の左右両側に前後方向へ延びる帯状部を形成するように構成された簡易トイレ。
【請求項２】
前記前側の天板フラップは、前記両突帯部の間に板長方向へ突出する突片が形成された請求項１記載の簡易トイレ。
【請求項３】
前記後側の天板フラップは、その両側の前記突帯部の間の凹部が略Ｕ字状に形成された請求項１又は２記載の簡易トイレ。
【請求項４】
前記左右の天板は、前記内側板として用いられる部位の前記外側板側に、前記便座部を支持する頂板として用いられる部位が設けられた請求項１〜３のいずれか一項に記載された簡易トイレ。
【請求項５】
前記胴部の内側には、前記前後左右の外側板に対応する前後左右の中枠板により形成された中枠が配設されており、
前記左右の中枠板は、前記トイレ形態において、前記左右の外側板と前記内側板との間にそれぞれ配置され、前記左右の外側板及び前記内側板とともに前記便座部を支持するように構成された請求項１〜４のいずれか一項に記載された簡易トイレ。
【請求項６】
前記中枠は、左右の外側板の幅方向中央部に対応する部位に、上下方向に延びるリブ状部をそれぞれ備えた請求項１〜５のいずれか一項に記載された簡易トイレ。
【請求項７】
前記収納箱形態にある請求項１〜６のいずれか一項に記載された簡易トイレの収納スペースに、トイレ関連用品を収納してなるトイレセット。
【発明の詳細な説明】
【技術分野】
【０００１】
本発明は、内側の収納スペースに品物を収納可能な収納箱形態から、トイレとして使用可能なトイレ形態へ形態変更可能に構成された簡易トイレと、収納箱形態にある該簡易トイレの収納スペースにトイレ関連用品を収納してなるトイレセットに関するものである。
【背景技術】
【０００２】
従来の簡易トイレとしては、特許文献１に記載された組立式段ボール便器を例示する。この便器は、フラップ態様において前面壁に連続する便座、後面壁に連続する便蓋、左右両側壁に連続する便座受けとがそれぞれ設けられた折り畳み可能な箱形の便器本体と、便器本体の中に納めて便座受けを支える補強中枠とからなっている。また、この便器は、便器本体と、補強中枠と、汚物袋と、その中に入れる凝固・消臭剤とをセットとして収納する携帯ケース付きとなっている。
【０００３】
【特許文献１】特開平１１−１５５７６６号公報
【発明の開示】
【発明が解決しようとする課題】
【０００４】
ところが、従来の便器は、震災等の災害等時における断水や施設の倒壊により既設のトイレ設備が使用できないとき等、災害等から復旧するまでの一定期間、避難施設や仮設施設等において使用しようとすると、次の点で課題がある。
（１）便器の使用開始後、空き箱となった携帯ケースの保管や処分にコストや手間がかかる。特に大災害のときや、避難施設内に多数の人が避難しているときや、狭い仮設施設内に複数の人が避難しているとき等の窮屈な状態となっているときに、この点が大きな課題となる。
（２）避難施設等において複数人で便器を共用する場合に、多数の汚物袋や凝固・消臭剤が必要になるし、また、便器とは別体で使用可能な小便用の携帯型採尿容器があれば、便器利用者の混雑が低減できて便利である。しかし、これらは携帯ケースに収納できないので、別途補充用品等として用意する必要がある。また、これらを別途用意すると、多数の救援物資等の中に紛れ込んでしまい、いざ使用するときに、携帯ケースとは別体の補充用品等がなかなか見つからないことがある。
（３）前記（２）の課題に対応すべく、前記補充用品等も収納できるように携帯ケースを大きくすると、空き箱となった携帯ケースの保管や処分のコストや手間がさらに増大する。
【課題を解決するための手段】
【０００５】
上記課題を解決するために、本発明の簡易トイレは、
内側の収納スペースに品物を収納可能な収納箱形態と、トイレとして使用可能なトイレ形態との間で形態変更可能に構成された簡易トイレであって、
前記収納箱形態は、前後左右の外側板により形成された四角筒形の胴部と、該胴部の下側開口を塞ぐ底部と、前記前後の外側板にそれぞれ連設された前後の天板フラップと、前記左右の外側板にそれぞれ連設された左右の天板とを備え、
前記トイレ形態は、内側に用便を収容するように有底四角筒状に形成された台座部と、該台座部の上に配設され、前記台座部の内側に連通する開口を有する便座部とを備え、
前記トイレ形態における前記台座部は、前記収納箱形態における前記胴部と前記底部と前記左右の天板とが用いられ、前記左右の天板がそれぞれ前記胴部の内側に折り込まれるとともに、先端側が前記底部に支持されてなる内側板として用いられるように構成されており、
前記トイレ形態における前記便座部は、前記収納箱形態における前後の前記天板フラップが用いられ、該各天板フラップの板幅方向両側に板長方向へ突出するように形成された突帯部が前記台座部の左右の外側板及び内側板の上に載置されることにより、前記台座部上の左右両側に前後方向へ延びる帯状部を形成するように構成されている。
【０００６】
この構成によれば、内側の収納スペースに品物を収納可能な収納箱形態と、トイレとして使用可能なトイレ形態との間で形態変更可能に構成されているので、収納箱又はトイレの２用途に選択的に使用することができる。収納箱形態とトイレ形態との間で形態変更するときに、従来例における携帯ケース等の余分な物が発生しないので、該余分な物を別途保管したり処分したりするコストや手間が発生しない。また、収納箱形態では、そのままの状態で保管したり輸送したりすることが可能になる。また、前記収納スペースに、例えば、後述するトイレ関連用品を収納することができる。
【０００７】
前記前側の天板フラップは、前記両突帯部の間に板長方向へ突出する突片が形成された態様を例示する。
【０００８】
この構成によれば、前記突片を用便時に起立させると金隠しとして使用できる。また、前記突片を用便後に倒すと便蓋としても使用できる。
【０００９】
前記後側の天板フラップは、その両側の前記突帯部の間の凹部が略Ｕ字状に形成された態様を例示する。
【００１０】
この構成によれば、前記便座部の開口に利用者のお尻がはまり込むことを防止できる。
【００１１】
前記左右の天板は、前記内側板として用いられる部位の前記外側板側に、前記便座部を支持する頂板として用いられる部位が設けられた態様を例示する。
【００１２】
この構成によれば、前記頂板の上面により、前記便座部を安定的に支持することができる。
【００１３】
前記胴部の内側には、前記前後左右の外側板に対応する前後左右の中枠板により形成された中枠が配設されており、
前記左右の中枠板は、前記トイレ形態において、前記左右の外側板と前記内側板との間にそれぞれ配置され、前記左右の外側板及び前記内側板とともに前記便座部を支持するように構成された態様を例示する。
【００１４】
この構成によれば、耐荷重性及び耐久性を向上させることができる。
【００１５】
前記中枠は、左右の外側板の幅方向中央部に対応する部位に、上下方向に延びるリブ状部をそれぞれ備えた態様を例示する。
【００１６】
この構成によれば、耐荷重性及び耐久性をさらに向上させることができる。
【００１７】
また、本発明のトイレセットは、
前記収納箱形態にある前記いずれかの態様の簡易トイレの収納スペースに、トイレ関連用品を収納してなっている。
【００１８】
前記トイレ関連用品としては、特に限定されないが、次の用品を例示する。
（１）前記簡易トイレを前記トイレ形態にしたときに前記台座部内に装着する蓄便袋。
（２）前記蓄便袋内に入れるための薬剤（凝固剤、消臭剤、殺菌剤、芳香剤等）。
（３）前記簡易トイレに装着せずに単体で使用可能な携帯型採尿容器。
【００１９】
この構成によれば、前記収納スペースにトイレ関連用品を収納することによりセットにしているので、両者を一体的に管理できる。そして、例えば、前記トイレ関連用品として、多数の前記蓄便袋や、前記薬剤をセットにしておけば、避難施設等において複数人で前記簡易トイレを共用する場合に便利になる。また、前記トイレ関連用品として、前記簡易トイレとは別体で使用可能な小便用の携帯型採尿容器をセットにしておけば、複数人で前記簡易トイレを共用する場合に、トイレ利用者の混雑が低減できてさらに便利になる。
【発明の効果】
【００２０】
本発明に係る簡易トイレによれば、収納箱又はトイレの２用途に選択的に使用することができるという優れた効果を奏する。また、本発明に係るトイレセットによれば、収納箱形態にある前記簡易トイレにトイレ関連用品を収納することによりセットにしているので、両者を一体的に管理できるという優れた効果を奏する。
【発明を実施するための最良の形態】
【００２１】
図１〜図１２は本発明を具体化した一実施形態の簡易トイレ１及びトイレセットを示している。簡易トイレ１は、段ボール紙からなる箱本体１１（図３参照）と段ボール紙からなる中枠３１（図４参照）が組み立てられてなるものであり、内側の収納スペースＡに品物を収納可能な収納箱形態Ｓｂ（図２参照）と、トイレとして使用可能なトイレ形態Ｓｔ（図１参照）との間で形態変更可能に構成されている。なお、図３及び図４における破線は、折曲線を示しており、その他の図において、図３及び図４の破線に対応する部位に記載された破線も、基本的に折曲線を示している。
【００２２】
まず、収納箱形態Ｓｂについて説明すると、主に図２〜図４に示すように、この収納箱形態Ｓｂは、前後左右の外側板２〜５により形成された四角筒形の胴部１６と、該胴部１６の下側開口を塞ぐ底部１７と、前後の外側板２，３にそれぞれ連設された前後の天板フラップ１５，１３と、左右の外側板４，５にそれぞれ連設された外天板１２及び内天板１４と、胴部１６の内側に配設された中枠３１とを備えている。
【００２３】
各天板フラップ１５，１３には、その板幅方向両側に板長方向へ突出するように形成された一対の突帯部３６が形成されている。各突帯部３６の先端には、天板１２，１４に貫設された差込孔２７に差し込み可能な差込片２６が連設されている。
【００２４】
本例の前側の天板フラップ１５は、両突帯部３６の間に板長方向へ突出する突片２５が形成されている。突片２５を用便時に起立させると金隠しとして使用できる。また、突片２５を用便後に倒すと便蓋としても使用できる。
【００２５】
本例の後側の天板フラップ１３は、その両側の突帯部３６の間の凹部３０が略Ｕ字状に形成されている。これにより、便座部８の開口８ａに利用者のお尻がはまり込むことを防止できる。
【００２６】
本例の左右の天板１２，１４は、内側板２８として用いられる部位の外側板側に、便座部８を支持する頂板２９として用いられる部位が設けられている。これにより、頂板２９の上面により、便座部８を安定的に支持することができる。
【００２７】
外天板１２の先端縁には、一対の差込片２１が突設されており、該差込片２１は、内天板１４と右側の外側板５との境界部に貫設された一対の差込孔２２に差し込まれ、内天板１４の上に外天板１２を係止するようになっている。また、外天板１２には、その先端側に設けられた折曲線で、該外天板１２の先端部を反胴部内側へ折り曲げると露出するように、係合突起２３が設けられている。この係合突起２３は、底板フラップ１９に設けられた係合切欠２４に係入可能になっている。
【００２８】
内天板１４の先端縁には、係合突起２３が突設されている。この係合突起２３は、底板フラップ１９に設けられた係合切欠２４に係入可能になっている。
【００２９】
中枠３１は、前後左右の外側板２〜５に対応する前後左右の中枠板３２，３２，３４，３４により形成されており、左右の中枠板３４，３４は、トイレ形態Ｓｔにおいて、左右の外側板４，５と内側板２８との間にそれぞれ配置され、左右の外側板４，５及び内側板２８とともに便座部８を支持するように構成されている。本例の中枠３１は、前後、左右、及び上下がそれぞれ対称に形成されているので、前後、左右、及び上下の向きにそれぞれ関係なく使用することができる。この中枠３１により、耐荷重性及び耐久性を向上させることができる。また、本例の中枠３１は、左右の外側板４，５の幅方向中央部に対応する部位に、上下方向に延びるリブ状部３１ｂをそれぞれ備えている。これにより、耐荷重性及び耐久性をさらに向上させることができる。
【００３０】
次に、トイレ形態Ｓｔについて説明すると、主に図１，図３，図４に示すように、このトイレ形態Ｓｔは、内側に用便を収容するように有底四角筒状に形成された台座部７と、該台座部７の上に配設され、台座部７の内側に連通する開口８ａを有する便座部８とを備えている。
【００３１】
トイレ形態Ｓｔにおける台座部７は、収納箱形態Ｓｂにおける胴部１６と底部１７と左右の天板１２，１４とが用いられ、左右の天板１２，１４がそれぞれ胴部１６の内側に折り込まれるとともに、先端側が底部１７に支持されてなる内側板２８として用いられるように構成されている。
【００３２】
トイレ形態Ｓｔにおける便座部８は、収納箱形態Ｓｂにおける前後の天板フラップ１５，１３が用いられ、該各天板フラップ１５，１３の板幅方向両側に板長方向へ突出するように形成された突帯部３６が台座部７の左右の外側板４，５及び内側板２８の上に載置されることにより、台座部７上の左右両側に前後方向へ延びる帯状部３７を形成するように構成されている。
【００３３】
次に、本発明のトイレセットについて説明する。このトイレセットは、収納箱形態Ｓｂにある前記いずれかの態様の簡易トイレ１の収納スペースＡに２つの中箱を収納してなっている。
【００３４】
また、中箱４１には、トイレ関連用品として、簡易トイレ１をトイレ形態Ｓｔにしたときに台座部７内に装着する蓄便袋４３と、蓄便袋４３内に入れるための薬剤（凝固剤、消臭剤、殺菌剤、芳香剤等）が複数個収納されている。
【００３５】
中箱４２には、図１０及び図１１に示すように、トイレ関連用品として、簡易トイレ１に装着せずに単体で使用可能な携帯型採尿容器４５が複数枚収納されている。この携帯型採尿容器４５は、袋部４７と、該袋部４７の開口に取り付けられた受け口４６とを備え、嵩張らず携帯が容易となるように薄く折り畳み可能に構成されている。袋部４７の開口部には、密閉可能又は逆流防止可能に密封チャック４７ａが設けられている。袋部の中には、尿を固形化させるための凝固剤４８が入れられている。また、この携帯型採尿容器４５は、長さ方向の半分ずつを抱き合わせるように折り重ねた状態で中箱４２に収納されており、取出口４２ａを開け、ここから１枚取り出すと、次の１枚の先端部分が取出口からポップアップするようになっており、箱から１枚ずつ連続的に取り出せるようになっている。
【００３６】
次に、本発明のトイレセットの製造方法について主に図５を参照しつつ説明する。まず、図３に示す組立前の箱本体１１の左側の外側板４に連設された糊代片１６ａを前側の外側板２に接続することにより、四角筒状の胴部１６を形成する（図５（１）参照）。次いで、一対の底板フラップ１９を胴部１６内に折り込み、その上から一対の底板１８を被せ、底板フラップ１９と底板１８とを接続することにより、底部１７を形成する。さらに、図４に示す組立前の中枠３１において、右側の中枠板３４に連設された糊代片３１ａを、後側の中枠板３２に接続することにより、四角筒状に形成するとともに、左右の中枠板３４，３４における、左右の外側板４，５の幅方向中央部に対応する部位が中枠３１内に突出するように折り曲げることにより、中枠３１の上下方向に延びるリブ状部３１ｂを形成する（図５（２）参照）。次いで、中枠３１を胴部１６内に配設する（図５（３），図６，図７参照）。この状態における中枠３１の内側が、品物を収納可能な収納スペースＡとなる。次いで、本例では、別途用意した中箱４１，４２を収納スペースＡに収納する（図５（４）参照）。次いで、一対の天板フラップ１３，１５を品物の上に被せる（図５（５）参照）。次いで、内天板１４を一対の天板フラップ１３，１５の上に被せ、さらに外天板１２の先端縁に突設された一対の差込片２１を内天板１４と右側の外側板５との境界部に貫設された一対の差込孔２２に差し込むことにより、内天板１４の上に外天板１２を係止すると、トイレセットが完成する（図５（６）参照）。
【００３７】
次に、本発明の簡易トイレ１を内側の収納スペースＡに品物を収納可能な収納箱形態Ｓｂからトイレとして使用可能なトイレ形態Ｓｔへ形態変更する方法について主に図８を参照しつつ説明する。まず、図５（６）に示す収納箱形態Ｓｂにおいて、外天板１２の一対の差込片２１を差込孔２２から抜き、外天板１２を開くとともに、内天板１４及び一対の天板フラップ１３，１５を開き、収納スペースＡから品物を取り出す（図８（１），図６，図７参照）。次いで、外天板１２の先端側に設けられた折曲線で、該外天板１２の先端部を反胴部内側へ折り曲げることにより、係合突起２３を露出させる。天板１２，１４の基端側にそれぞれ設けられた折曲線で、該天板１２，１４の先端側を胴部内側へ折り曲げ、天板１２，１４の係合突起２３を底板フラップ１９に設けられた係合切欠２４に係入させる。これにより、便座部８を支持する頂板２９と、先端側が底部１７に支持されてなる内側板２８ととして、天板１２，１４を用いる（図８（２）参照）。次いで、天板フラップ１３，１５の各突帯部３６の先端に設けられた差込片２６を、天板１２，１４に設けられた差込孔２７に差し込むことにより係止すると、台座部７上の左右両側に前後方向へ延びる帯状部３７が形成される。さらに、前側の天板フラップ１５の突片２５を起立させることにより金隠しを形成するとトイレ形態Ｓｔへの形態変更が完成する（図８（３），図９参照）。このトイレ形態Ｓｔの簡易トイレ１は、用便時、台座部７の内側に蓄便袋４３の底側を入れるとともに、該蓄便袋４３の開口側を裏返し、便座部８及び台座部７の外側に被せ、蓄便袋４３内に凝固剤、消臭剤、殺菌剤等の薬剤を入れて使用する（図８（４）参照）。用便後は、蓄便袋４３を簡易トイレ１から取り外し、封止部４３ａを縛ることにより蓄便袋４３を密封し、この状態で処分する。なお、トイレ形態Ｓｔから収納箱形態Ｓｂに形態変更するには、上記方法の逆に行えばよい。
【００３８】
次に、本発明の簡易トイレ１について耐荷重試験の結果を示す。本例の簡易トイレ１には、波状に形成された中芯と、その両面に貼り付けられたライナからなる３枚構造を有する厚さ約１．５ｍｍの段ボール紙が使用されている。また、本例の簡易トイレ１の各部のサイズは、台座部７の底面から便座部８の上面までの高さが１２５ｍｍ、台座部７の左右幅及び前後幅がそれぞれ１９４ｍｍ及び２５１ｍｍ、台座部７の各頂板２９の左右幅が３２ｍｍ、便座部８の開口８ａの幅が該開口８ａの中心において２２２ｍｍに設定されている。試験方法としては、図１２に示すように、簡易トイレ１の便座部８に鉄製のあて板５０を置き、このあて板５０を介して毎分１０ｍｍの速度で鉛直荷重Ｆを加え、破壊に至る最大荷重を測定する方法を採用した。２つの試験体（簡易トイレ１）について試験した結果、それぞれの耐荷重が２６９０．５６Ｎ（２７４．５５ｋｇｆ）、２３９５．５６Ｎ（２４４．４４ｋｇｆ）となり、これらの平均耐荷重は２５４３．０６Ｎ（２５９．５０ｋｇｆ）であった。この結果、本発明の簡易トイレ１はトイレとして十分な耐荷重を備えていることが明らかとなった。
【００３９】
以上のように構成された本発明の簡易トイレによれば、内側の収納スペースＡに品物を収納可能な収納箱形態Ｓｂと、トイレとして使用可能なトイレ形態Ｓｔとの間で形態変更可能に構成されているので、収納箱又はトイレの２用途に選択的に使用することができる。収納箱形態Ｓｂとトイレ形態Ｓｔとの間で形態変更するときに、従来例における携帯ケース等の余分な物が発生しないので、該余分な物を別途保管したり処分したりするコストや手間が発生しない。また、収納箱形態Ｓｂでは、そのままの状態で保管したり輸送したりすることが可能になる。また、収納スペースＡに、例えば、トイレ関連用品を収納することができる。
【００４０】
また、本発明のトイレセットによれば、収納スペースＡにトイレ関連用品を収納することによりセットにしているので、両者を一体的に管理できる。そして、本例では、トイレ関連用品として、多数の蓄便袋４３や、それに入れる薬剤をセットにしているので、避難施設等において複数人で簡易トイレ１を共用する場合に便利になる。さらに、トイレ関連用品として、簡易トイレ１とは別体で使用可能な小便用の携帯型採尿容器４５をセットにしているので、複数人で簡易トイレ１を共用する場合に、トイレ利用者の混雑が低減できてさらに便利になる。
【００４１】
なお、本発明は前記実施形態に限定されるものではなく、例えば以下のように、発明の趣旨から逸脱しない範囲で適宜変更して具体化することもできる。
（１）簡易トイレ１の材料を適宜変更すること。
（２）簡易トイレ１の各部の形状や大きさを適宜変更すること。
（３）中枠３１を省くこと。
【図面の簡単な説明】
【００４２】
【図１】本発明を具体化した一実施形態に係る簡易トイレのトイレ形態を示す斜視図である。
【図２】同簡易トイレの収納箱形態を示す斜視図である。
【図３】同簡易トイレの本体の展開図である。
【図４】同簡易トイレの中芯の展開図である。
【図５】同簡易トイレを含むトイレセットの製造方法を段階的に示す斜視図である。
【図６】同トイレセットの製造方法における製造途中の簡易トイレを示す斜視図である。
【図７】同製造途中の簡易トイレを示す平面図である。
【図８】同簡易トイレを収納箱形態からトイレ形態へ形態変更する方法を段階的に示す斜視図である。
【図９】同簡易トイレのトイレ形態における平面図である。
【図１０】同トイレセットに収納する中箱の実施例を示す斜視図である。
【図１１】図１０のＸＩ−ＸＩ線断面図である。
【図１２】本発明の簡易トイレの耐荷重試験概況を示す側面図である。
【符号の説明】
【００４３】
１    簡易トイレ
２〜５  外側板
７    台座部
８    便座部
８ａ  開口
１１    箱本体
１２    外天板
１３    天板フラップ
１４    内天板
１５    天板フラップ
１６    胴部
１６ａ  糊代片
１７    底部
１８    底板
１９    底板フラップ
２１    差込片
２２    差込孔
２３    係合突起
２４    係合孔
２５    突片
２６    差込片
２７    差込孔
２８    内側板
２９    頂板
３０    凹部
３１    中枠
３１ａ  糊代片
３１ｂ  リブ状部
３２，３４  中枠板
３６    突帯部
３７    帯状部
４１    中箱
４１ａ  取出口
４２    中箱
４３    蓄便袋
４３ａ  封止部
４５    携帯型採尿容器
４６    受け口
４７    袋部
４７ａ  密封チャック
４８    凝固剤
５０    あて板
Ａ    収納スペース
Ｓｔ  トイレ形態
Ｓｂ  収納箱形態
【図１】
2008279204.tif 000003
【図２】
2008279204.tif 000004
【図３】
2008279204.tif 000005
【図４】
2008279204.tif 000006
【図５】
2008279204.tif 000007
【図６】
2008279204.tif 000008
【図７】
2008279204.tif 000009
【図８】
2008279204.tif 000010
【図９】
2008279204.tif 000011
【図１０】
2008279204.tif 000012
【図１１】
2008279204.tif 000013
【図１２】
2008279204.tif 000014